(57)【特許請求の範囲】
【請求項１】
左右一対の木質柱によって仕切られる木質下部構造材及び木質上部構造材同士を木質筋交いにより斜めに接合する木造建築物における筋交い構造において、
前記木質筋交いが同一方向に左右に二本略密着して配置されており、前記各筋交いの部材厚みが前記柱及び上下の構造材の部材厚みの約半分の厚み、若しくは、約半分以下の厚みとされ、
前記筋交いの、両端部が前記下部構造材及び上部構造材に対し接合金具を介して接合されており、前記接合金具は、前記筋交い及び上下の構造材にまたがって配置される平板状のプレート部と、プレート部を貫通し、取付け具の取付け用の複数の取付け孔と、プレート部の両端縁の夫々に複数折り曲げ形成され、前記筋交い及び構造材に打ち込み噛合する複数の爪とを備えたことを特徴とする木造建築物における筋交い構造。
【請求項２】
二本密着して配置される二本一対の前記筋交いは、連続壁を構成する隣接する一対の柱間に、略Ｖ又は略逆略Ｖ若しくはジグザグ形状となるように配置されていることを特徴とする請求項１に記載の筋交い構造。
【請求項３】
前記接合金具は、その前記プレート部が、その長手方向一端角部が切り落とされた長方形状とされ、プレート部の長手方向両縁部に前記角部を含んで多数の爪が突出され、その前記取付け孔に挿入された前記取付け具により、その前記爪の浮き上がりが阻止されていることを特徴とする請求項１又は２に記載の木造建築物における筋交い構造。
【発明の詳細な説明】
【０００１】
【発明の属する技術分野】
本発明は、木造建築物における筋交い構造に関する。
【０００２】
【従来の技術】
図５の従来例に示すように、木造建築物の耐力壁において、一対の柱１１、１１間に木質筋交い１４を２本設置する場合、たすき状に設置することが通例とされてきた。
【０００３】
【発明が解決しようとする課題】
ところが、上記たすき状に筋交いを設置することで、２本の筋交い１４、１４の設置状態の合計幅が柱１１の厚み幅に略等しくなって、壁内の奥行き方向の空間が少なくなってしまうという問題がある。
【０００４】
本発明は、上記のような問題点に鑑み、従来の構造耐力を保持しつつ、筋交いによる壁内空間の占有面積を最小限にすることを目的とするものである。
【０００５】
【課題を解決するための手段】
上記目的を達成するため本発明では、図の実施の形態にも示すように、左右一対の柱１１、１１によって仕切られる下部構造材１０及び上部構造材１２同士を筋交いにより斜めに接合する木造建築物における筋交い構造において、前記筋交い１４、１５が同一方向に左右に二本略密着して配置されていることを特徴としている。上記柱１１、１１、下部構造材１０、上部構造材１２及び筋交い１４、１５は、いずれも木質材により構成される。
【０００６】
さらに、前記筋交い１４、１５の夫々の前後部材厚みが前記柱１１及び上下の構造材１０、１２の部材前後厚みよりも薄く、約半分の厚みとされていることを特徴とする。
【０００７】
上記本発明の構造によれば、二本略密着して傾斜配置される二本の筋交い１４、１５の設置状態の前後の厚みが、柱１１又は上下の構造材１０、１２の部材厚みによる壁の厚さの約半分の厚さとなり、筋交いによる壁内空間の占有面積は、最小となり、省スペース化が達成される。例えば、壁厚（柱の厚さ）が１０５ｍｍ〜１２０ｍｍの場合、筋交い１４、１５の設置状態の前後の厚みが４５ｍｍ〜５０ｍｍとされている。
さらには、筋交い１４，１５が同一方向（左右方向）に二本略密着して配置されていることにより、面内では二倍の材幅となり、省スペース化を図った上で耐力を倍加できる。
また、二本密着して配置される二本一対の筋交い１４，１５を、隣接する一対の柱間の区画に、略Ｖ又は略逆Ｖ形若しくはジグザグ形状となるように順次配置させることにより、左右何れの方向からの外力にも充分対応できる。
【０００８】
また、本発明では、前記２本の筋交い１４、１５の両端部が、前記下部構造材１０及び上部構造材１２に対し接合金具１を介して接合されており、前記接合金具１は、前記筋交い１４、１５及び上下の構造材１０、１２にまたがって配置される平板状のプレート部２と、プレート部２を貫通し、取付け具５の取付け用の複数の取付け孔３と、プレート部２の両端にあって前記筋交い及び構造材に打ち込み噛合する複数の爪４とを備えたことを特徴としている。
【０００９】
前記接合金具１は、その前記取付け孔３に挿入された前記取付け具５により、その前記爪４の浮き上がりが阻止されていることを特徴としている。
【００１０】
上記のように、筋交い１４、１５の両端部と上下の構造材１０，１２間にまたがって、上記接合金具１を用いて接合するようにしたことにより、筋交い１４、１５は、圧縮筋交いと引張り筋交いの双方の機能を兼用し、構造耐力が向上し、しかも、たすきがけ配置の必要がなく、柱によって仕切られる空間の有効利用が可能となる。
【００１１】
【発明の実施の形態】
以下、本発明の好ましい実施の形態につき、添付図面を参照して詳細に説明する。図１及び図２は本発明の実施に用いる筋交いの接合金具１を示すものである。
この接合金具１は、基本的に、厚さ２．５〜３mm程度の鋼板などのプレス成形体であって、図１（ａ）に示すように、長手方向一端角部が切り落された長方形に形成されたプレート部２と、プレート部２の上下を貫通して打抜き成形された複数のねじ取付け孔３と、プレート部２の長手方向両縁部に前記角部を含んで突出する多数の爪４とからなっており、各爪４を折曲げ加工することによって、図１（ｂ），（ｃ）及び図２に示すように、接合金具１の取付け面側に向けて突起させたものである。
【００１２】
以上の接合金具１の各取付け孔３には、図２に示すように、タッピングスクリュよりなる取付け具５がねじ込まれる。そして、前述のごとく取付け具５の取付け性を確保するため、取付け孔３の孔径は取付け具５の外径より僅かに大きい。このことが初期段階でのゆるみにつながり強度低下要因になるが、取付け具５のねじ込みに応じて、前記爪４が後述する筋交いと上下の構造体に食込むことによって、初期ゆるみの発生がなく、かつ筋交いに加わる力は、接合金具１を介して直接上下の構造体に伝達されることになるのである。
【００１３】
次に、以上の接合金具１を用いた筋交い構造及びその構築手順について図３を用いて説明する。
図３（ａ）において、１０は、下部構造材、１１は下部構造材１０上に設置された一対の柱、１２は、柱１１上に配置された上部桁（または梁）となる上部構造材である。これら架構によって区画された内側には、一方の対角線方向に２本の筋交い１４、１５が平行に略密着された状態で配置されている。すなわち、下端を下部構造材１０に、上端を上部構造材１２に接するように、斜めに筋交い１４が配置される。この筋交い１４の奥行方向の厚みは、前記各部材（下部構造材１０、柱１１，上部構造材１２）の材厚の約１／２であり、手前側で各部材と同一面となるように配置される。
以上の筋交い１４に加え、第二の筋交い１５が筋交い１４と平行かつ左右に略密着して配置される。
【００１４】
以上によって、架構の面内においては、従来の二倍の材幅で柱１１間の支持を行い耐力を倍加させていると同時に、従来のようにたすきがけとならないため、面内スペース減少を図っている。但し、この段階では両筋交い１４，１５とも単なる圧縮筋交いとしてのみ機能するだけである。
【００１５】
この後図３（ｂ）に示すように、筋交い１４の下部側と下部構造材１０間及び筋交い１４の上部側と上部構造材１２間にまたがって、前記接合金具１が配置され、取付け具５によって固定され、次いで図３（ｃ）第二の筋交い１５にも同一の接合金具１により接合され、当該箇所の施工が完了する。
【００１６】
施工完了状態では、接合金具１の爪４が筋交い１４，１５と下部構造材１０及び上部構造材１２に深く噛合して一体化されるため、初期ゆるみを生ずることなく、所定の強度剛性を得られるとともに、接合金具１は、筋交い１４，１５の延長上で主に引張り応力を支える部材として活用される。取付け具５は、爪４の浮き上がりを阻止する。
【００１７】
例えば下部構造材１０及び上部構造材１２間に、図３（ｃ）に矢印Ａに示すような変形力が生じた場合には、筋交い１４，１５の上部側に引張り力が生じ、この力は上部側接合金具１そのものと、これに連結した取付け具５を介して上部構造材１２側に伝達され、これによって筋交い１４，１５の上部側は引張り筋交いとして機能する。
また矢印Ａとは逆方向の外力（Ａ’）が加わった場合には、筋交い１４，１５の下部側に引張り応力が生じ、この力は同じく接合金具１そのものと、これに連結した取付け具５を介して下部構造材１０側に伝達され、同じく引張り筋交いとしても機能する。
【００１８】
【発明の効果】
本発明による木造建築物の軸組構造における筋交い構造にあっては、二本の木質筋交いを略密着させて同一方向に配設させるとともに、該各木質筋交いの部材厚みを柱及び上下の構造材の部材厚みの約半分の厚み、若しくは、約半分以下の厚みとすることにより、たすきがけすることなく、充分な構造耐力を保持した状態で、筋交いによる壁内空間の占有面積を最小限にできる。このように、筋交いによる壁内空間の幅方向の占有面積を最小限にできることから、引き寄せ金物のような、各種柱脚又は柱頭と下部構造材又は上部構造材との接合金物の納まりを良くすることができる。さらに、真壁和室の施工が容易になる。また、通気層の確保が容易になる。断熱材充填の際、筋交い等があると、均一な断熱性能が図れないだけでなく、断熱性能に悪影響を及ぼす可能性があるが、本発明により、このような問題は解消される。
【００１９】
また、筋交い及び上下の構造体を接合金具によって直接的に接合しているため、初期のゆるみを解消し、接合具の数量を抑えながらも、筋交いにかかる引っ張り応力及び圧縮応力にも十分耐えることができる。
【図面の簡単な説明】
【図１】（ａ）〜（ｃ）は本発明に係る接合金具の展開平面図、完成平面図及び同側面図である。
【図２】同接合金具の斜視図である。
【図３】（ａ）〜（ｄ）は同接合金具を用いた軸組における筋交いの施工順序を示す斜視説明図である。
【図４】同接合金具を用いた軸組における筋交い構造の他の例を示す斜視図である。
【図５】従来の筋交い構造の斜視図である。
【符号の説明】
１  接合金具
２  プレート部
３  取付け孔
４  爪
５  取付け具（タッピングスクリュ）
１０  下部構造体（土台）
１１  柱
１２  上部構造体（桁）
１４，１５  筋交い
【図１】
0003691493.tif 000002
【図２】
0003691493.tif 000003
【図３】
0003691493.tif 000004
【図４】
0003691493.tif 000005
【図５】
0003691493.tif 000006